【事件の表示】
　特許第２８８０４９０号「プレス装置」の請求項１乃至６に係る特許に対する特許異議の申立てについて、次のとおり決定する。
【結　論】
　訂正を認める。
　特許第２８８０４９０号の請求項１ないし４に係る特許を維持する。
【理　由】
第１　手続の経緯
　本件特許第2880490号については、平成9年11月14日に出願され、平成11年1月29日にその設定の登録がなされ、その後、オイレス工業株式会社（以下「異議申立人」という。）より請求項1乃至請求項6に係る特許について特許異議の申立てがなされ、その後、取消しの理由が通知され、その指定期間内である平成12年4月3日に訂正請求がなされたものである。
第２　訂正の適否について
１．訂正の内容
(1)訂正事項ａ
　特許明細書の特許請求の範囲を、
「【請求項１】スライドカムベースと、スライドカムベースに案内されパンチなどの加工部材を取付けるスライドカムと、スライドカムベースとスライドカムとの間に介在してスライドカムを付勢する付勢体と、スライドカムに当接してスライドカムを駆動する作動カムとよりなるプレス装置であって、スライドカムベースの幅方向に架設した複数個の円形断面のガイドポストにスライドカムを摺動自在に設け、ガイドポストはスライドカムベースの両側に固定した支持板に架設し、ガイドポストの両端を支持板の丸孔に嵌めて支持させ、一方の支持板に丸孔に至るスリットを刻設し、スリットをボルトで螺締してガイドポストを架設するようにし、付勢体はガススプリングであることを特徴とするプレス装置。
【請求項２】スライドカムとスライドカムベースの摺動面にそれぞれウェアプレートを設けた請求項１記載のプレス装置。
【請求項３】スライドカムとスライドカムベースの側部に摺動面を設けた請求頃１記載のプレス装置。
【請求項４】スライドカムと作動カムとの摺動面に山状に摺動面を設けた請求項１記載のプレス装置。」と訂正する。
(2)訂正事項ｂ
特許明細書の段落【００１０】，【００１１】の下の記載、
「【００１０】　
【課題を解決するための手段】そこで、本発明は、上記の事情に鑑み、スライドカムベースがスライドカムを保持する際、撓みが殆どなく精度良いプレス加工ができ、また、スライドカムの保持部の加工時間を少なくして安価に提供できるようにすべく、スライドカムベースと、スライドカムべ−スに案内されパンチなどの加工部材を取付けるスライドカムと、スライドカムベースとスライドカムとの間に介在してスライドカムを付勢する付勢体と、スライドカムに当接してスライドカムを駆動する作動カムとよりなるプレス装置であって、スライドカムべ−スに架設した円形断面のガイドポストにスライドカムを摺動自在に設けたプレス装置とした。
【００１１】また、保守のためスライドカムベースからスライドカムを外す際、取外しを容易にすべく、ガイドポストはスライドカムべースの両側に固定した支持板に架設し、ガイドポストの両端を支持板の丸孔に嵌めて支持させ、一方の支持板に丸孔に至るスリットを刻設し、スリットをボルトで螺締してガイドポストを架設するようにした。さらに、本発明は、スライドカムがスライドカムべース上を確実に摺動できるように、付勢体をガススプリングとした。」を、
「【００１０】　
【課題を解決するための手段】そこで、本発明は、上記の事情に鑑み、スライドカムベースがスライドカムを保持する際、撓みが殆どなく精度良いプレス加工ができ、スライドカムの保持部の加工時間を少なくして安価に提供でき、また、保守のためスライドカムべースからスライドカムを外す際、取外しを容易にし、ガイドポストはスライドカムべ−スの両側に固定した支持板に架設し、さらに、スライドカムがスライドカムベース上を確実に摺動できるようにすべく、スライドカムベースと、スライドカムベースに案内されパンチなどの加工部材を取付けるスライドカムと、スライドカムべ一スとスライドカムとの間に介在してスライドカムを付勢する付勢体と、スライドカムに当接してスライドカムを駆動する作動カムとよりなるプレス装置であって、スライドカムベースの幅方向に架設した複数個の円形断面のガイドポストにスライドカムを摺動自在に設け、ガイドポストの両端を支持板の丸孔に嵌めて支持させ、一方の支持板に丸孔に至るスリットを刻設し、スリットをボルトで螺締してガイドポストを架設するようにし、付勢体はガススプリングであるプレス装置とした。」と訂正する。
(3)訂正事項ｃ
　特許明細書の段落【００１２】，【００１３】の
「【００１２】
　さらにその上に、大型プレス装置の摩耗が激しいのに十分対応できるように、スライドカムとスライドカムベースの摺動面のそれぞれにウェアプレートを設けた。また、本発明は、スライドカムのスライドカムベースに対する移動を正確にさせるため、側部に摺動面を設けた。
【００１３】
　さらに、スライドカムの作動カムに対する移動の横ブレを無くするため、摺動面に山状の摺動面を設けた。」を、
「【００１１】
　また、大型プレス装置の摩耗が激しいのに十分対応できるように、スライドカムとスライドカムベースの摺動面のそれぞれにウエアプレートを設けた。
　さらに、本発明は、スライドカムのスライドカムベースに対する移動を正確にさせるため、側部に摺動面を設けた。
【００１２】
　さらにその上に、スライドカムの作動カムに対する移動の横ブレを無くするため、摺動面に山状の摺動面を設けた。」と訂正する。
(4)訂正事項ｄ
　特許明細書の段落【００３７】，【００３８】の
「【００３７】　　
【発明の効果】
　本発明は、上述のように、スライドカムベースと、スライドカムべ−スに案内されパンチなどの加工部材を取付けるスライドカムと、スライドカムべ−スとスライドカムとの間に介在してスライドカムを付勢する付勢体と、スライドカムに当接してスライドカムを駆動する作動カムとよりなるプレス製置であって、スライドカムベースに架設した円形断面のガイドポストにスライドカムを摺動自在に設けたプレス装置であるので、スライドカムベースがスライドカムを保持する際、撓みが殆どなく、精度の良いプレス加工ができる。また、本発明では、スライドカムの保持を円形断面のガイドポストで行うため、スライドカムの保持部の加工時間を少なくできてプレス装置を安価に提供できる。
【００３８】
　また、本発明は、ガイドポストはスライドカムベースの両端に固定した支持板に架設し、ガイドポストの両端を支持板の丸孔に嵌めて支持させ、一方の支持板に丸孔に至るスリットを刻設し、スリットをボルトで螺締してガイドポストを架設するようにしたので、保守のためスライドカムベースからスライドカムを外す際、取外しが至極容易である。さらに、本発明は、付勢体をガススプリングとしたので、スライドカムがスライドカムベース上を確実に摺動でき安全である。また、ガススプリングを使用すると、スライドカムに長い行程を与えることができ、大形ワークの加工が可能となる。」を、
「【００３６】　　
【発明の効果】
　本発明は、上述のように、スライドカムベースと、スライドカムべ−スに案内されパンチなどの加工部材を取付けるスライドカムと、スライドカムべースとスライドカムとの間に介在してスライドカムを付勢する付勢体と、スライドカムに当接してスライドカムを駆動する作動カムとよりなるプレス装置であって、スライドカムべ−スの幅方向に架設した複数個の円形断面のガイドポストにスライドカムを摺動自在に設け、ガイドポストはスライドカムベースの両端に固定した支持板に架設し、ガイドポストの両端を支持板の丸孔に嵌めて支持させ、一方の支持板に丸孔に至るスリットを刻設し、スリットをボルトで螺締してガイドポストを架設するようにし、付勢体はガススプリングであるプレス装置であるので、スライドカムべ一スがスライドカムを保持する際、撓みが殆どなく、精度の良いプレス加工ができ、スライドカムの保持を円形断面のガイドポストで行うため、スライドカムの保持部の加工時間を少なくできてプレス装置を安価に提供できる。また、本発明は、保守のためスライドカムベースからスライドカムを外す際、取外しが至極容易である。さらに、本発明は、スライドカムがスライドカムベース上を確実に摺動でき安全である。ガススプリングを使用すると、スライドカムに長い行程を与えることができ、大形ワークの加工が可能となる。」と訂正する。
(5)訂正事項ｅ
　特許明細書の段落【００３９】，【００４０】の
「【００３９】
　さらにその上に、本発明は、スライドカムとスライドカムべ−スの摺動面のそれぞれにウエアプレ−トを設けたので、大重量のプレス装置の摩耗が激しいものにも十分対応できる。また、本発明は、スライドカムとスライドカムべ−スの側部に摺動面を設けたので、スライドカムのスライドカムべ−スに対する移動を正確に行うことができる。
【００４０】
　さらに本発明は、スライドカムと作動カムとの摺動面に山状の摺動面を設けたので、スライドカムの作動カムに対する移動の横ブレを無くすることができる。」を、
「【００３７】
　また、本発明は、スライドカムとスライドカムベースの摺動面のそれぞれにウエアプレートを設けたので、大重量のプレス装置の摩耗が激しいものにも十分対応できる。
　さらに、本発明は、スライドカムとスライドカムベースの側部に摺動面を設けたので、スライドカムのスライドカムベースに対する移動を正確に行うことができる。
【００３８】
　さらにその上に、本発明は、スライドカムと作動カムとの摺動面に山状の摺動面を設けたので、スライドカムの作動カムに対する移動の横ブレを無くすることができる。」と訂正する。
２．訂正の目的の適否、新規事項の存否および拡張変更の有無
(1)訂正事項ａについて
　訂正事項ａは、訂正前の請求項１に係る発明の必須の構成である「ガイドポスト」に関して、「スライドベースの幅方向に架設した複数個の円形断面ガイドのガイドポスト」とし、その配置方向と個数を限定し、「ガイドポストはスライドカムベースの両側に固定した支持板に架設し、ガイドポストの両端を支持板の丸孔に嵌めて支持させ、一方の支持板に丸孔に至るスリットを刻設し、スリットをボルトで螺締してガイドポストを架設するようにし」という構成（訂正前の請求項２の構成）に限定し、更に訂正前の請求項１に係る発明の必須の構成である「付勢体」に関して「付勢体はガススプリングである」（訂正前の請求項３の構成）に限定すると共に訂正前の請求項２及び３を削除し、訂正前の請求項４乃至６を新請求項２乃至４とするものである。
　そして、ガイドポストをスライドベースの幅方向に複数個架設した構成は、図面の第５図乃至第１０図に示されている。
　したがって、訂正事項ａは、特許請求の範囲の減縮を目的とするものに該当し、また、新規事項を追加するものでもなく、実質的に特許請求の範囲を拡張又は変更するものでもない。
(2)訂正事項ｂについて
　訂正事項ａの訂正に伴い、段落0010の記載における発明の構成をそれに対応する請求項の記載に用いられた文言に符合させると共に、段落0011の記載を段落0010の記載に合体し、段落0011を削除したものである。
　したがって、訂正事項ｂは、明りょうでない記載の釈明を目的とするものに該当し、また、新規事項を追加するものでもなく、実質的に特許請求の範囲を拡張又は変更するものでもない。
(3)訂正事項ｃについて
　訂正事項ｂにおける段落0011の削除に伴い、段落番号を訂正するものである。
　したがって、訂正事項ｃは、明りょうでない記載の釈明を目的とするものに該当し、また、新規事項を追加するものでもなく、実質的に特許請求の範囲を拡張又は変更するものでもない。
(4)訂正事項ｄについて
　訂正事項ａの訂正に伴い、段落0037の記載における発明の構成を請求項の記載に用いられた文言に一致させると共に、段落0037の記載を段落0038の記載に合体して段落0036とし、段落0038を削除したものである。
　したがって、訂正事項ｄは、明りょうでない記載の釈明を目的とするものに該当し、また、新規事項を追加するものでもなく、実質的に特許請求の範囲を拡張又は変更するものでもない。
(5)訂正事項ｅについて
　訂正事項ｂ及びｄにおける段落の削除に伴い、段落番号を訂正すると共に、不明瞭な接続詞を整理するものである。
　したがって、訂正事項ｅは、明りょうでない記載の釈明を目的とするものに該当し、また、新規事項を追加するものでもなく、実質的に特許請求の範囲を拡張又は変更するものでもない。
３．独立特許要件の判断
(1)訂正後の発明
　訂正請求書に添付された明細書（以下「訂正明細書」という。）の請求項１乃至請求項４係る発明（以下「訂正発明１」乃至「訂正発明４」という。）は、訂正明細書および願書に添付された図面の記載からみて、訂正明細書の請求項１乃至請求項４に記載された通りのものである（上記「訂正事項ａ」参照）。
(2)取消しの理由の概要
　当審において通知した取消しの理由は次の通りである。
理由１
　本件請求項１乃至請求項６に係る発明は、本件特許前に日本国内において頒布された刊行物（特許異議申立人・オイレス工業株式会社の提出した甲第１号証〜甲第１５号証刊行物）に記載された発明又はそれらに基づいて当業者が容易に発明をすることができたものであるから、請求項１乃至請求項６に係る特許については、特許法第２９条第１項又は同条２項の規定に違反してされたものである。
理由２
　本件特許は特許法第１７条の２第３項に規定する要件を満たさない特許出願に対してなされたので、同法第114条の規定により取り消すべきである。
(3)引用文献の記載事項
　上記取消しの理由に引用した甲各号証刊行物には、それぞれ次のものが記載されている。
(a)甲第１号証刊行物（特開平8-174094号公報）：
　「基台25（訂正発明１の「スライドカムベース」に相当、以下括弧書きは訂正発明１の相当部材をいう。）と、基台（スライドカムベース）に案内されパンチなどの加工部材を取付けるカムスライド31（スライドカム）と、基台（スライドカムベース）とカムスライド（スライドカム）との間に介在してカムスライド（スライドカム）を付勢するばね手段6（付勢体）と、カムスライド（スライドカム）に当接してカムスライド（スライドカム）を駆動するカムドライバ8（作動カム）とよりなるプレス装置であって、基台（スライドカムベース）に架設した円形断面の丸ガイドバー31（ガイドポスト）にカムスライドを摺動自在に設け、丸ガイドバー（ガイドポスト）は基台（スライドカムベース）の両側壁部(21,22)に架設したことを特徴とするプレス装置。」（第２欄34〜39行、第３欄27〜46行、第４欄12〜16行参照）
(b)甲第２号証刊行物（特開平7-290168号公報）：
　「基台22（スライドカムベース）と、基台（スライドカムベース）に案内されパンチなどの加工部材を取付けるカムスライド3（スライドカム）と、基台（スライドカムベース）とカムスライド（スライドカム）との間に介在してカムスライド（スライドカム）を付勢するばね手段6（付勢体）と、カムスライド（スライドカム）に当接してカムスライド（スライドカム）を駆動するカムドライバー8（作動カム）とよりなるプレス装置であって、基台（スライドカムベース）に架設した円形断面の丸ロッド27（ガイドポスト）にカムスライド（スライドカム）を摺動自在に設け、丸ロッド（ガイドポスト）は基台（スライドカムベース）の両側の側壁部に架設し、丸ロッド（ガイドポスト）の両端を側壁部の貫通孔（丸孔）に嵌めて支持させたことを特徴とするプレス装置」（第３欄47〜第４欄13行、第４欄26〜29行参照）
(c)甲第３号証刊行物（特開平4-344839号公報）：
　「カムガイド１（スライドカムベース）と、カムガイド（スライドカムベース）に案内されパンチなどの加工部材を取付けるカムスライド10（スライドカム）と、カムガイド（スライドカムベース）とカムスライド（スライドカム）との間に介在してカムスライド（スライドカム）を付勢するコイルばね8（付勢体）と、カムスライド（スライドカム）に当接してカムスライド（スライドカム）を駆動するカムドライバ21（作動カム）とよりなるプレス装置であって、カムガイド（スライドカムベース）に架設した円形断面のガイドバー7（ガイドポスト）にカムスライド（スライドカム）を摺動自在に設け、ガイドバー（ガイドポスト）はカムガイド（スライドカムベース）の前壁部及び後壁部に架設し、ガイドバー（ガイドポスト）の両端を両壁部に支持させたことを特徴とするプレス装置」（第３欄第32〜第４欄第20行、第５欄第4〜6行参照）
(d)甲第４号証刊行物（特開平4-327324号公報）：
　「カムガイド１（スライドカムベース）と、カムガイド（スライドカムベース）に案内されパンチなどの加工部材を取付けるカムスライド10（スライドカム）と、カムガイド（スライドカムベース）とカムスライド（スライドカム）との間に介在してカムスライド（スライドカム）を付勢するコイルばね8（付勢体）と、カムスライド（スライドカム）に当接してカムスライド（スライドカム）を駆動するカムドライバ21（作動カム）とよりなるプレス装置であって、カムガイド（スライドカムベース）に架設した円形断面のガイドバー7（ガイドポスト）にカムスライド（スライドカム）を摺動自在に設け、ガイドバー（ガイドポスト）はカムガイド（スライドカムベース）の前壁部及び後壁部に架設し、ガイドバー（ガイドポスト）の両端を両壁部に支持させたことを特徴とするプレス装置」（第３欄22行〜第４欄10行、第４欄38行〜40行参照）
(e)甲第５号証刊行物（実願平1-44168号のマイクロフィルム）：
　「ベース10（スライドカムベース）と、ベース（スライドカムベース）に案内されパンチなどの加工部材を取付ける被駆動カム18（スライドカム）と、ベース（スライドカムベース）と被駆動カム（スライドカム）との間に介在して被駆動カム（スライドカム）を付勢する戻しばね50（付勢体）と、被駆動カム（スライドカム）に当接して被駆動カム（スライドカム）を駆動する駆動カム64（作動カム）とよりなるプレス装置であって、ベース（スライドカムベース）に架設した円柱状等の断面のガイドバー36（ガイドポスト）に被駆動カム（スライドカム）を摺動自在に設け、ガイドバー（ガイドポスト）はベース（スライドカムベース）の両側壁14,16に架設し、ガイドバー（ガイドポスト）の両端を支持させたことを特徴とするプレス装置」（実用新案登録請求の範囲、第６頁9〜11行、第８頁4〜5行、第10頁16〜第11頁2行参照）
(f)甲第６号証刊行物（実願昭57-72746号のマイクロフィルム）：
　「カムガイド６（スライドカムベース）と、カムガイド（スライドカムベース）に案内されパンチなどの加工部材を取付けるスライドカム８（スライドカム）と、カムガイド（スライドカムベース）とスライドカムとの間に介在してスライドカムを付勢するリターンスプリング21（付勢体）と、スライドカムに当接してスライドカムを駆動するドライバーカム13（作動カム）とよりなるプレス装置であって、カムガイド（スライドカムベース）に架設した円形断面のガイド軸20（ガイドポスト）にスライドカムを摺動自在に設け、ガイド軸（ガイドポスト）はカムガイド（スライドカムベース）の両側のガイド基板部6Aに架設し、ガイド軸（ガイドポスト）の両端をガイド基板部の丸孔に嵌めて支持させることを特徴とするプレス装置」（第２頁第12〜19行、第３頁第10〜12行、第３頁15〜第４頁6行参照）
(g)甲第７号証刊行物（米国特許第5269167号明細書）：
　「取付ブラケット46（スライドカムベース）と、取付ブラケット（スライドカムベース）に案内されパンチなどの加工部材を取付けるスライドブロック34（スライドカム）と、取付ブラケット（スライドカムベース）とスライドブロック（スライドカム）との間に介在してスライドブロック（スライドカム）を付勢するdamping means128（付勢体）と、スライドブロック（スライドカム）に当接してスライドブロック（スライドカム）を駆動するドライバアセンブリ32（作動カム）とよりなるプレス装置であって、取付ブラケット（スライドカムベース）に架設した円形断面のガイドピン90（ガイドポスト）にスライドブロック（スライドカム）を摺動自在に設け、ガイドピン（ガイドポスト）は取付ブラケット（スライドカムベース）のＬ字型面に固定したＬ字型バックプレート48A（支持板）に架設し、ガイドピン（ガイドポスト）の一端をＬ字型バックプレート（支持板）のトッププレート50Aの丸孔に嵌めて支持させ、damping means（付勢体）は窒素ガス充填シリンダー128（ガススプリング）であることを特徴とするプレス装置」（第4欄65〜第5欄2行、第6欄15〜30行、第8欄11行〜36行、第8欄46行〜50行及び図面）
(h)甲第８号証刊行物（米国特許第5487296号明細書）：
　「取付ブラケット239（スライドカムベース）と、取付ブラケット（スライドカムベース）に案内されパンチなどの加工部材を取付けるスライドブロック234（スライドカム）と、取付ブラケット（スライドカムベース）とスライドブロック（スライドカム）との間に介在してスライドブロック（スライドカム）を付勢するスプリングアセンブリ268（付勢体）と、スライドブロック（スライドカム）に当接してスライドブロック（スライドカム）を駆動するドライバアセンブリ232（作動カム）とよりなるプレス装置であって、取付ブラケット（スライドカムベース）に架設した円形断面の中心ロッド280（ガイドポスト）にスライドブロック（スライドカム）に固定されたアーム/スペーサ組立体274,276を摺動自在に設け、中心ロッド（ガイドポスト）は取付ブラケット（スライドカムベース）の両側に固定したstop block270,272（支持板）に架設し、中心ロッド（ガイドポスト）の両端をstop block（支持板）の丸孔に嵌めて支持させ、スプリングアセンブリ（付勢体）はコイルスプリング、Marsh Mellow spring、又は窒素ガス充填シリンダー128（ガススプリング）であることを特徴とするプレス装置」（第11欄64〜66行、12欄54〜13欄11行、13欄37〜45行、14欄1〜6行及び図面）
(i)甲第９号証刊行物（実公昭35-1002号公報）：
　「フレキシブルシャフト１の止めナット２を一端に固着したキャップ３の他端に適数個のスリット４を設け該キャップ３をフレキシブルシャフト１を挿通せるフレキシブルパイプ５に帽着し締付けバンド６にてキャップ３をパイプ５に締付けてなるフレキシブルワイヤーの構造」（登録請求の範囲参照）
(j)甲第１０号証刊行物（「プレス金型設計詳細解説」1992年9月30日株式会社日刊工業サービスセンター発行）：
　「プレス装置においては、特にウエアプレートを用いること、スライドカムとスライドカムベースの側部に摺動面をもうけること、及びスライドカムと作動カムとの摺動面に山状の摺動面を用いること。」（第375頁、第379頁、第387頁参照）
(k)甲第１１号証刊行物（図解プレス金型設計法昭和60年11月30日株式会社日刊工業サービスセンター初版発行）：
　「プレス装置については、ダブルウエアープレートを用いること及びスライドカムとスライドカムベースの側部に摺動面を設けること」（第350頁、351頁参照）
(l)甲第１２号証刊行物（特開平4-138825号公報）：
　「スライドカムベース(13)と、スライドカムベースに案内されパンチなどの加工部材を取付けるスライドカム(17)と、スライドカムベースとスライドカムとの間に介在してスライドカムを付勢する弾性体（付勢体）と、スライドカムに当接してスライドカムを駆動する作動カム(8)とよりなるプレス装置であって、スライドカムベースの四面体案内部(16)にスライドカムを摺動自在に設け、スライドカムと四面体案内部の摺動部にウエアプレートを設け、弾性体（付勢体）はコイルスプリングであるプレス装置」（第2頁上右欄第14〜15行、第２頁下右欄18〜第3頁上左欄3行、第3頁上左欄19行〜上右欄10行、第4頁上左欄11〜15行及び図面参照）
(m)甲第１３号証刊行物（特開平9-85498号公報）：
　プレス装置において、スライドカムとスライドカムベースの側部に摺動面を設けること。
(n)甲第１４号証刊行物（WO97/04894号公報）：
　プレス装置において、スライドカムとスライドカムベースの側部に摺動面を設けること。
(o)甲第１５号証刊行物（特開平8-19825号公報）：
　プレス装置において、スライドカムとスライドカムベースの側部に摺動面を設けること。
(4)対比・判断
(a)理由１について
訂正発明１について
　そこで、訂正発明１と上記甲第１〜１５号証刊行物記載の発明とを対比すると、上記刊行物のいずれにも訂正発明１の必須の構成である「一方の支持板に丸孔に至るスリットを刻設し、スリットをボルトで螺締してガイドポストを架設するようにし」た構成（以下「構成Ａ」という。）が記載されているとはいえない。
　そして、訂正発明１は、この構成により、「ガイドポストの両端を支持板の丸孔に至るスリットを刻設し、スリットをボルトで螺締してガイドポストを架設するようにしたので、保守のためスライドカムベースからスライドカムを外す際、取外しが至極容易である。」（特許掲載公報第9欄33行〜38行参照）という訂正明細書記載の顕著な効果を奏すると認められる。
　異議申立人は、丸棒又はパイプ等を支持部材の丸孔に固定する場合に、支持板部材に丸孔に至るスリットを刻設し、スリットをボルトで螺締して丸棒又はパイプを支持板に固定することは甲第９号証からも明らかなように慣用手段であると主張しているが、甲第９号証記載のものは、キャップの他端にスリットを設けキャップをフレキシブルパイプに帽着し、締付バンドでスリットを締め付けたキャップとフレキシブルパイプの接続のための構成であり、訂正発明１のようにプレス装置におけるガイドポストをスライドカムベースに固定するための構造とは分野が全く異なるから、たとえスリットと締付バンドの接続の構成が慣用手段であるとしても、プレス装置におけるガイドポストをスライドカムベースに固定するための構造とすることが当業者にとって容易であるということはできない。
　したがって、他の相違点を検討するまでもなく、訂正発明１は刊行物１乃至刊行物１５記載の発明に基づいて当業者が容易に発明をすることができたものであるとはいえないから、訂正発明１は特許出願の際独立して特許を受けることができるものである。
訂正発明２乃至４について
　訂正明細書の請求項２乃至４の記載は、いずれも請求項１記載のプレス装置を引用して記載されているので、訂正発明２乃至訂正発明４はいずれも訂正発明１の必須の構成である構成Ａを有している。
　したがって、訂正発明２乃至４も刊行物１乃至刊行物１５記載の発明に基づいて当業者が容易に発明をすることができたと言えないから、訂正発明２乃至訂正発明４も特許出願の際独立して特許を受けることができるものである。
４．むすび
　以上のとおりであるから、上記訂正は、特許法第１２０条の４第２項及び同条第３項において準用する特許法第１２６条第２項乃至第４項の規定に適合するので、当該訂正を認める。
第３　特許異議の申立てについての判断
１．特許異議申立ての理由
　異議申立人は、甲第１号証乃至甲第１５号証（これらは上記理由（１）の「刊行物１」乃至「刊行物１５」に同じ）を提出し、
請求項１に係る発明は、甲第１号証乃至甲第６号証及び甲第８号証刊行物に記載された発明であるから、特許法第２９条第１項の規定に違反して特許されたものであり、また同号証記載の発明に基づいて当業者が容易に発明をすることができたものであるから、特許法第２９条第２項の規定に違反して特許されたものであり、
請求項２に係る発明は甲第２号証、甲第６号証及び甲第８号証刊行物記載の発明に基づいて当業者が容易に発明をすることができたものであるから、特許法第２９条第２項の規定に違反して特許されたものであり、
請求項３に係る発明は、甲第１号証乃至甲第６号証及び甲第８号証刊行物に記載された発明であるから、特許法第２９条第１項の規定に違反して特許されたものであり、また甲第１号証乃至甲第１２号証記載の発明に基づいて当業者が容易に発明をすることができたものであるから、特許法第２９条第２項の規定に違反して特許されたものであり、
請求項４に係る発明は、甲第１号証乃至甲第６号証及び甲第８号証刊行物に記載されたいずれかの発明と甲第１１号証記載のものに基づいて当業者が容易に発明をすることができたものであるから、特許法第２９条第２項の規定に違反してされたものであり、
請求項５に係る発明は、甲第６号証又は甲第８号証に記載された発明であるから、特許法第２９条第１項の規定に違反して特許されたものであり、甲第６号証又は甲第８号証に記載された発明と、甲第１号証から甲第５号証及び甲第７号証並びに甲第１０号証から甲第１５号証のいずれかに記載の技術に基づいて当業者が容易に発明をすることができたものであるから、特許法第２９条第２項の規定に違反してされたものであり、
請求項６に係る発明は、甲第８号証に記載された発明であるから、特許法第２９条第１項の規定に違反して特許されたものであり、甲第８号証に記載された発明と、甲第１号証から甲第６号証並びに甲第１０号証及び甲第１２号証のいずれかに記載の発明に基づいて当業者が容易に発明をすることができたものであるから、特許法第２９条第２項の規定に違反してされたものであり、請求項１乃至６に係る特許を取り消すべきであると主張（以下「申立理由(1)」という。）している。
　さらに、異議申立人は、甲第１６号証を提出し、請求項３に係る特許は、特許法第１７条の２第３項に規定する要件を満たさない補正をした特許出願に対してされたから、これを取り消すべきであると主張（以下「申立理由(2)」という。）している。
２．当審の判断
(1)申立理由(1)について
本件発明は、特許異議の申立てに係る各請求項に係る発明は、適法に訂正された結果、請求項１乃至３に係る発明は訂正発明１に、請求項４乃至６に係る発明は訂正発明２乃至４になった。
　そして、訂正発明１乃至訂正発明４は、夫々上記「第２」の「３．(1)訂正後の発明」において認定した【請求項１】乃至【請求項４】の通りのものである。
　上記「第２」の「３．(4)対比・判断」の「(a)理由１について」の項において述べた理由により、訂正発明１乃至訂正発明４が、甲第１号証乃至甲第１５号証に記載された発明であるともまた甲第１号証乃至甲第１５号証に記載された発明に基づいて当業者が容易に発明をすることができたものであるともいえない。
　したがって、異議申立人の申立理由(1)は理由がない。
(2)申立理由(2)について
　上記訂正事項ａにより「付勢体」は本件特許出願の願書に最初に添付された明細書及び図面に記載されたガススプリングのみに限定されたので、本件特許に係る明細書及び図面は、本件特許出願の願書に最初に添付された明細書又は図面に記載した事項の範囲内においてされたものとなったので、平成10年11月10日付手続補正の補正要件不備は治癒されることとなった。
　したがって、申立理由(2)は根拠がなくなった。
３．結び
　以上の通りであるから、本件特許異議の申立ては理由があるとは言えない。
　また、他に本件訂正発明１乃至訂正発明４に対してなされた特許を取り消すべき理由を発見しない。
　よって、結論のとおり決定する。
【異議決定日】
平成１２年７月４日（２０００．７．４）